(57)【特許請求の範囲】
【請求項１】
パック収容部を有する筐体と、
上記パック収容部に取り出し可能に装着され、上記筐体の外面の一部を構成した箱状のカバーを有するパック状機器と、
上記パック状機器のカバー内部を通して上記筐体内へ外気を導く通気手段と、
上記筐体内に設けられ、上記通気手段を介して上記パック状機器のカバー内部および上記筐体内に外気を吸気し、上記筐体内部を通して筐体外部へ排気するファンと、
を備え、
上記通気手段は、上記筐体に形成され上記パック収容部内と上記筐体内部とを連通した第１の通気孔と、上記パック状機器のカバー内に形成された通気路と、上記パック状機器のカバー外面に形成され上記通気路に連通した吸気孔と、上記パック状機器のカバーに形成され上記通気路と上記パック収容部内とを連通した第２の通気孔と、を備えていることを特徴とする携帯形電子機器。
【請求項２】
上記筐体は上記第１の通気孔と対向した排気口を有し、上記ファンは、上記第１の通気孔と排気口との間において上記排気口に隣接対向して配設されていることを特徴とする請求項１に記載の携帯形電子機器。
【請求項３】
パック収容部と排気口とを有した筐体と、
上記パック収容部に取り出し可能に装着され、上記筐体の外面の一部を構成した箱状のカバーを有するパック状機器と、
上記排気口に対向して上記筐体内に配設され、上記筐体内の空気を上記排気口を通して外部へ排気するファンと、を備え、
上記筐体は、上記パック収容部を規定した内壁と、上記内壁に形成された第１の通気孔と、を有し、
上記パック状機器のカバーは、上記内壁と対向した第１の側壁と、上記筐体の外面を構成する第２の側壁と、上記第１の側壁に形成され上記第１の通気孔と連通した第２の通気孔と、上記第２の側壁に形成された吸気孔と、を備えていることを特徴とする携帯形電子機器。
【請求項４】
上記パック状機器のカバーは、上記吸気孔と第２の通気孔とを連通した通気路を有していることを特徴とする請求項１又は３に記載の携帯形電子機器。
【請求項５】
上記筐体内に配設された第１のプリント回路基板と、上記筐体内において、上記第１のプリント回路基板と所定の間隔をおいて対向配置された第２のプリント回路基板と、を備え、
上記第１の通気孔および上記排気口は、上記第１および第２のプリント回路基板間の空間に開口していることを特徴とする請求項４に記載の携帯形電子機器。
【請求項６】
上記第１および第２のプリント回路基板間の空間において上記第１の通気孔と上記排気口との間に配設されているともに、上記第１のプリント回路基板上に実装された電子部品と熱的に接続されたヒートシンクを備えていることを特徴とする請求項５に記載の携帯形電子機器。
【発明の詳細な説明】
【０００１】
【発明の属する技術分野】
本発明は、ブック形のポータブルコンピュータのような携帯形電子機器に係り、特に、筐体に、パック状機器を脱着自在に装着可能な携帯形電子機器に関する。
【０００２】
【従来の技術】
従来、文字やグラフィックス中心であったポータブルコンピュータの分野においても、動画や音声等も統合して利用する、いわゆるマルチメディアの機運が高まりつつある。このマルチメディアで取り扱う動画や音声は、文字情報に比べてデータ量が膨大なものとなるため、大容量の光ディスクを用いてデータを記録する必要がある。そのため、最近、光ディスクに記録されたデータを読み出すＣＤ−ＲＯＭ駆動装置を搭載したポータブルコンピュータが製品化されている。
【０００３】
また、ポータブルコンピュータでは、携帯性を高めるために筐体の小型・軽量化が押し進められている。例えば、近年では、Ａ４サイズブック形のポータブルコンピュータに加えて、更に小さいＢ５サイズのブック形ポータブルコンピュータが普及しつつある。
【０００４】
このような筐体の小型化、軽量化に伴い、筐体内部の実装スペースは益々狭くなる傾向にあり、一つの筐体の内部にＣＤ−ＲＯＭ駆動装置とフロッピーディスク装置とを同時に収容することはスペース的な面で困難となってくる。このことから、最近、ＣＤ−ＲＯＭ駆動装置とフロッピーディスク装置とを選択的に交換して筐体に装着し得るようにしたポータブルコンピュータが製品化されている。その他、ポータブルコンピュータの筐体には、脱着自在な電池パック、ディスプレイユニット、キーボード、種々のコネクタ、スロット等が設けられている。
【０００５】
また、この種のポータブルコンピュータにおいて、ＣＤ−ＲＯＭ駆動装置又はフロッピーディスク装置のいずれかを選択的に収容するためのパック収容部、および電池パックを収容する電池収容部は、筐体の側面および底面に開口して形成されている。そして、ＣＤ−ＲＯＭ駆動装置又はフロッピーディスク装置、および電池パックは、収容部に装着された状態において、それぞれ筐体の側面および底面の一部を形成している。
【０００６】
更に、近年のポータブルコンピュータにおいては、性能の向上に伴い、動作中における実装部品の発熱量も増大し、性能を維持するためにはこれらの発熱部品を冷却する必要が生じている。そこで、筐体内にファンを設け、熱を外部に逃がす方法が取られている。そして、筐体の外面には、筐体内へ外気を導入するための多数の吸気孔が形成されている。
【０００７】
【発明が解決しようとする課題】
上記のように、ポータブルコンピュータにおいては、筐体の小型化に伴い、筐体の外面の大部分は、この筐体に取り付けられたパック状機器、電池パック、あるいは、コネクタやスロットを覆うカバー等によって構成され、筐体自身の外面の内、外部に直接する露出した面積は大幅に減少している。
【０００８】
そのため、筐体の外面に、冷却用の吸気孔を設けるためのスペースを確保することが困難に成りつつある。同時に、筐体内部は一層の高密度化が進み、冷却空気を流す通気路も確保し難い状態にある。従って、筐体内に設けられた発熱部品を冷却する上で不具合を生じる。
【０００９】
また、従来、筐体に脱着自在に装着されるパック状機器の冷却は考慮されていない。
この発明は、以上の点に鑑みなされたもので、その目的は、筐体内部および筐体に取り付けられたパック状機器を効率よく冷却可能な携帯形電子機器を提供することにある。
【００１０】
【課題を解決するための手段】
上記目的を達成するため、この発明に係る携帯形電子機器は、パック収容部を有する箱状の筐体と、上記パック収容部に取り出し可能に装着され、上記筐体の外面の一部を構成した箱状のカバーを有するパック状機器と、上記パック状機器のカバー内部を通して上記筐体内へ外気を導く通気手段と、上記筐体内に設けられ、上記通気手段を介して上記パック状機器のカバー内部および上記筐体内に外気を吸気し、上記筐体内部を通して筐体外部へ排気するファンと、を備え、上記通気手段は、上記筐体に形成され上記パック収容部内と上記筐体内部とを連通した第１の通気孔と、上記パック状機器のカバー内に形成された通気路と、上記パック状機器のカバー外面に形成され上記通気路に連通した吸気孔と、上記パック状機器のカバーに形成され上記通気路と上記パック収容部内とを連通した第２の通気孔と、を備えていることを特徴としている。
【００１１】
また、この発明に係る携帯形電子機器は、パック収容部と排気口とを有した筐体と、
上記パック収容部に取り出し可能に装着され、上記筐体の外面の一部を構成した箱状のカバーを有するパック状機器と、上記排気口に対向して上記筐体内に配設され、上記筐体内の空気を上記排気口を通して外部へ排気するファンと、を備えている。
【００１２】
そして、上記筐体は、上記パック収容部を規定した内壁と、上記内壁に形成された第１の通気孔と、を有し、上記パック状機器のカバーは、上記内壁と対向した第１の側壁と、上記筐体の外面を構成する第２の側壁と、上記第１の側壁に形成され上記第１の通気孔と連通した第２の通気孔と、上記第２の側壁に形成された吸気孔と、を備えている。
【００１３】
上記構成の携帯形電子機器によれば、ファンが作動されると、筐体に装着されたパック状機器の内部を通して筐体内に外気が導入され、導入された外気は更に筐体内を流れた後、外部に排気される。そして、パック状機器および筐体内部は、これらを通って流れる外気によって冷却される。
【００１４】
従って、筐体内部に配設された電子部品を冷却できると同時に、パック状機器をも冷却可能となる。また、パック状機器内部を利用して外気を導入することにより、筐体内の所望の部位へ外気を導き効率よく冷却することができる。更に、筐体自身の外面に、外気導入用のスペースを設ける必要がなく、筐体の小型化を図ることが可能となる。
【００１５】
【発明の実施の形態】
以下、図面を参照しながら、この発明の実施の形態に係るポータブルコンピュータについて詳細に説明する。
図１および図２に示すように、Ｂ５サイズのブック形ポータブルコンピュータ１は、卓上に載置されるコンピュータ本体２と、コンピュータ本体２に回動自在に支持されたディスプレイユニット３とを備えている。
【００１６】
コンピュータ本体２は、合成樹脂製の筐体４を有している。この筐体４は、上方に向けて開放したロアハウジング５と、このロアハウジング５の開放端に取り外し可能に連結されたアッパハウジング６とで構成されている。
【００１７】
ロアハウジング５は、平坦な底壁５ａと、この底壁５ａに連なる左右の側壁５ｂ，５ｃ、後壁５ｄ、および前壁５ｅとを有している。これら側壁５ｂ，５ｃ、後壁５ｄ、および前壁５ｅは、底壁５ａの周縁部から上向きに延びている。
【００１８】
アッパハウジング６は、略平坦な上壁６ａを有する板状をなしている。上壁６ａは、ロアハウジング５の底壁５ａと向かい合っており、この上壁６ａの周縁部に沿って形成された側縁部がロアハウジング５の側壁、後壁、および前壁の上端に連なっている。これにより、筐体４は、全体として偏平な矩形箱状をなしている。
【００１９】
アッパハウジング６の上壁６ａの後半部には、多数のキー７を有する入力手段としてキーボード８が設けられている。このキーボード８は、上壁６ａとほぼ等しい幅を有する矩形状に形成されている。上壁６ａの前半部は平坦なアームレスト１０を構成し、このアームレストの中央部には、コマンドの実行および取消を行うクリックスイッチ１０ａ、１０ｂが設けられている。
【００２０】
また、ディスプレイユニット３は、上壁６ａの後端にヒンジ部１６を介して回動自在に取り付けられている。ディスプレイユニット３は、コンピュータ本体２の平面寸法とほぼ等しい寸法を有する偏平な矩形状に形成され、図１に示すように、キーボード８を露出して入力操作およびディスクレイの視認を可能とする開放位置と、図２に示すように、キーボード８を覆う閉塞位置との間を回動自在となっている。閉塞位置において、ディスプレイユニット３はコンピュータ本体２と共同してブック形状をなす。
【００２１】
ロアハウジング５の右側壁５ｃの後端部には、この筐体内に形成された図示しないモデム収容部のモデム挿入口を開閉するモデムカバー１２が取り付けられている。また、筐体４の後壁には、ＲＧＢコネクタ、ＲＳ−２３２Ｃコネクタ、拡張コネクタ等の図示しない多数のコネクタが設けられている。そして、これらのコネクタは、筐体４の後壁に回動自在に取り付けられたコネクタカバー１４によって覆われている。更に、ロアハウジング５の後壁５ｄを含む筐体４の後壁には、排気口１５が形成されている。
【００２２】
図１ないし図４に示すように、ロアハウジング５には、バッテリ収容部１６およびパック収容部１８が形成されている。バッテリ収容部１６は、ロアハウジング５の左端部において、底壁５ａおよび左側壁５ｂに開口した矩形状の凹所によって構成されている。
【００２３】
そして、バッテリ収容部１６には、コンピュータ１を商用電源が得られない場所で使用する際に、その駆動用電源となるバッテリパック２０が取り外し可能に装着されている。バッテリパック２０は、合成樹脂製のバッテリケース２２と、このバッテリケースに収容された図示しない複数の電池とを備えている。
【００２４】
バッテリケース２２は、バッテリ収容部１６とほぼ同一の大きさを有し、バッテリ収容部１６に装着された状態において、バッテリケースの底面および側面は、ロアハウジング５の底壁５ａの一部および左側壁５ｂの一部を構成している。
【００２５】
パック収容部１８は、ロアハウジング５の右端部において、底壁５ａおよび右側壁５ｃに開口した矩形状の凹所２４によって構成されている。凹所２４は、ロアハウジング５の内壁によって規定されている。すなわち、この内壁は、ロアハウジング５の側壁５ｃから底壁５ａと平行に延出した矩形状の底板２４ａと、底板２４ａの側縁の内、筐体４の幅方向に延びる２側縁から直角に起立し底壁５ａに連続した一対の側板２４ｂ、２４ｃと、ロアハウジングの側壁５ｃと対向する底板２４ａの側縁から直角に起立し底壁５ａに連続した後板２４ｄと、を有している。特に、側板２４ｃは、ロアハウジング５の後壁５ｄと平行に対向して設けられている。
【００２６】
そして、これらの底板２４ａ、左右側板２４ｂ、２４ｃ、および後板２４ｄは、それぞれパック収容部１８の底壁、左右側壁、後壁を構成している。従って、パック収容部１８は、全体としてロアハウジング５の下面および右側面に向けて開放した箱形状をなしている。
【００２７】
後板２４ｄには、筐体４の奥行き方向に延びる細長い矩形状の開口３０が形成され、この開口３０の内部には、中継コネクタ３２が配設されている。そして、中継コネクタ３２は、ロアハウジング５の側壁５ｃ側に向いているとともに、ロアハウジング５内に設けられた図示しないプリント回路基板に接続されている。
【００２８】
互いに対向する側板２４ｂ、２４ｃの各々には、筐体４の幅方向に間隔を置いて複数、例えば、３つの係合突起３４が形成されている。また、側板２４ｃには、後述するパック状機器に設けられた保持爪が係合する係合凹所３５が形成されている。更に、側板２４ｃには、筐体４の幅方向に沿って所定のピッチで、多数の第１の通気孔３７が形成されている。そして、各第１の通気孔３７は、パック収容部１８内と筐体４内部とを連通している。
【００２９】
パック収容部１８内において、底板２４ａの側板２４ｃ側の前端部には導通爪１９が突設されている。この導通爪１９は、筐体４内のアースに導通している。なお、ロアハウジング５の右側壁５ｃには、パック収容部１８の隣接して多数の吸気孔３３が形成され、筐体４の奥行き方向に並んで配置されている。また、パック収容部１８の底には、図示しないオプション部品収容部の挿入口６４が形成され、この挿入口６４は、金属製の脱着自在なカバー７４によって閉塞されている。
【００３０】
図１ないし図３に示すように、パック収容部１８には、パック状機器として機能するＣＤ−ＲＯＭ駆動装置３６又はフロッピーディスク駆動装置３８のいずれか一方を選択的に取り外し可能に装着可能となっている。これらＣＤ−ＲＯＭ駆動装置３６およびフロッピーディスク駆動装置３８は、夫々独自の機能を有する一つのモジュールとしてパッケージ化されて、パック収容部１８内へ装着可能な、互いに同じサイズを有している。
【００３１】
図３、図５、および図７に示すように、ＣＤ−ＲＯＭ駆動装置３６は、光ディスクを収容するトレー４０と、このトレー４０を引き出し可能に保持した金属製のキャビネット４１とを備えている。キャビネット４１は、偏平な箱状をなしており、このキャビネット４１のトレー４０とは反対側の端部には、インターフェースコネクタ４２が配置されている。
【００３２】
また、ＣＤ−ＲＯＭ駆動装置３６は、キャビネット４１の下面および両側面を覆った合成樹脂製のカバー４３を有し、全体として、ほぼ偏平な矩形状をなしている。カバー４３の両側壁の各々には、それぞれパック収容部１８の係合突起３４と係合可能な３つの係合爪４４が形成されている。各係合爪４４はＬ字形状をなしている。
【００３３】
カバー４３の底壁４３ａには、その一側縁から突没可能な係止爪４６が設けられ、図示しないばねにより側縁から突出する方向に付勢されている。そして、この係止爪４６は、ＣＤ−ＲＯＭ駆動装置３６をパック収容部１８に装着した際、パック収容部１８の側板２４ｃに形成された係合凹所３５に係合しＣＤ−ＲＯＭ駆動装置３６をパック収容部１８内に保持する。
【００３４】
また、カバー４３の底壁４３ａには、係止爪４６を突出状態にロックするためのロックレバー４７が摺動自在に取り付けられている。更に、カバー４３の底壁４３ａ後端から板状の位置決め突起４８が突出している。この位置決め突起４８は、パック収容部１８の後板２４ｄに形成された開口３０内へ係合可能に形成されている。
【００３５】
カバー４３は、ＣＤ−ＲＯＭ駆動装置３６をパック収容部１８に装着した際にパック収容部１８の側板２４ｃと対向する側板４３ｂを有している。この側板４３ｂには、多数の第２の通気孔６０が形成され、筐体４の幅方向に沿って所定のピッチで設けられている。特に、第２の通気孔５０は、ＣＤ−ＲＯＭ駆動装置３６をパック収容部１８に装着した際、筐体４の第１の通気孔３７とそれぞれ対向するように、第１の通気孔と同一のピッチおよび高さ位置に設けられている。
【００３６】
カバー４３内には、側板４３ｂに沿って通気路６２が形成され、ＣＤ−ＲＯＭ駆動装置３６の幅方向ほぼ全長に亘って延びている。そして、この通気路６２は第２の通気孔６０に連通している。また、トレー４０の端部には通気路６２に連通した複数の吸気孔６４が形成されている。
【００３７】
上記構成を有するＣＤ−ＲＯＭ駆動装置３６は、ロアハウジング５のパック収容部１８にその開口を通して装填した後、筐体４の幅方向に沿って左側壁５ｂに向かって押し込まれる。すると、カバー４３に形成された各係合爪４４がパック収容部１８の対応する係合突起３４に係合するとともに、係止爪４６が係合凹所３５に係合する。同時に、インターフェースコネクタ４２が筐体４側の中継コネクタ３２と係合する。
【００３８】
それにより、ＣＤ−ＲＯＭ駆動装置３６は、パック収容部１８内に装填された状態に固定保持されるとともに、コンピュータ本体２と電気的に接続される。装着状態において、ＣＤ−ＲＯＭ駆動装置３６の底面は、ロアハウジング５の底壁５ａと面一となり、底壁５ａの一部を構成する。また、トレー４０の前面は、ロアハウジング５の側壁５ｃと面一に連続し、側壁５ｃの一部を構成する。
【００３９】
また、パック収容部１８にＣＤ−ＲＯＭ駆動装置３６を装着した状態において、金属製のキャビネット４１がパック収容部１８内に突出した導通爪１９に接触する。それにより、ＣＤ−ＲＯＭ駆動装置３６は、キャビネット５１、導通爪１９を介して筐体４側のアースに導通する。
【００４０】
更に、ＣＤ−ＲＯＭ駆動装置３６のカバー４３の側板４３ｂは、パック収容部１８の側板２４ｃと隣接対向する。それにより、側板４３ｂに形成された多数の第２の通気孔６０は、側板２４ｃ側に形成された多数の第１の通気孔３７とそれぞれ対向し連通する。従って、ＣＤ−ＲＯＭ駆動装置３６に設けられた吸気孔６４、通気路６２、第２の通気孔６０、および筐体４に設けられた第１の通気孔３７を通して、筐体４内部とコンピュータ１外部とが連通し、これらを介して筐体内部へ外気を導入可能となる。このように、吸気孔６４、通気路６２、第１および第２の通気孔３７、６０は、ＣＤ−ＲＯＭ駆動装置３６を通して筐体４内へ外気を導く通気手段を構成している。
【００４１】
一方、図３、図６、および図８に示すように、フロッピーディスク駆動装置３８は、前面にフロッピーディスク挿入口５０を有する偏平な箱状の装置本体５１と、この装置本体５１を覆った合成樹脂製のアウタカバー５２とを備えている。アウタカバー５２は、ＣＤ−ＲＯＭ駆動装置３６と略同様の形状およびサイズを有している。フロッピーディスク挿入口５０とは反対側の端部において、アウタカバー５２にはインターフェースコネクタ５４が配置され、装置本体５１に接続されている。
【００４２】
アウタカバー５２の両側壁の各々には、それぞれパック収容部１８の係合突起３４と係合可能な３つの係合爪５５が形成され、各係合爪５５はＬ字形状をなしている。アウタカバー５２の底壁５２ａには、その一側縁から突没可能な係止爪５６が設けられ、図示しないばねにより側縁から突出する方向に付勢されている。そして、この係止爪５６は、フロッピーディスク駆動装置３８をパック収容部１８に装着した際、パック収容部１８の側板２４ｃに形成された係合凹所３５に係合しフロッピーディスク駆動装置３８をパック収容部１８内に保持する。
【００４３】
また、アウタカバー５２の底壁５２ａには、係止爪５６を突出状態にロックするためのロックレバー５７が摺動自在に取り付けられている。更に、アウタカバー５２の上壁５２ｂの前端部には、金属からなる矩形状の導通板５８が固定され、内部の装置本体５１に導通している。
【００４４】
アウタカバー５２は、フロッピーディスク駆動装置３８をパック収容部１８に装着した際にパック収容部１８の側板２４ｃと対向する側板５２ｃを有している。この側板５２ｃには、多数の第２の通気孔６６が形成され、筐体４の幅方向に沿って所定のピッチで設けられている。特に、第２の通気孔６６は、フロッピーディスク駆動装置３６をパック収容部１８に装着した際、筐体４側の第１の通気孔３７とそれぞれ対向するように、第１の通気孔と同一のピッチおよび高さ位置に設けられている。
【００４５】
アウタカバー５２内には、側板５２ｃに沿って通気路６８が形成され、フロッピーディスク駆動装置３６の幅方向ほぼ全長に亘って延びている。そして、この通気路６８は第２の通気孔６６に連通している。また、アウタカバー５２の前板５２ｄの端部には通気路６８に連通した複数の吸気孔７０が形成されている。
【００４６】
このようなフロッピーディスク駆動装置３８は、ロアハウジング５のパック収容部１８にその開口を通して装填した後、筐体４の幅方向に沿って左側壁５ｂ側へ押し込まれる。それにより、アウタカバー５２に形成された各係合爪５５がパック収容部１８の対応する係合突起３４に係合するとともに、係止爪５６が係合凹所３５に係合する。同時に、インターフェースコネクタ５４が筐体４側の中継コネクタ３２に係合する。
【００４７】
それにより、フロッピーディスク駆動装置３８は、パック収容部１８内に装填された状態に固定保持されるとともに、コンピュータ本体２と電気的に接続される。装着状態において、フロッピーディスク駆動装置３８の底面は、ロアハウジング５の底壁５ａと面一となり、底壁５ａの一部を構成する。また、アウタカバー５２の前板５２ｄは、ロアハウジング５の側壁５ｃと面一に連続し、側壁５ｃの一部を構成する。
【００４８】
また、パック収容部１８にフロッピーディスク駆動装置３８を装着した状態において、アウタカバー５２に固定された導電板５８がパック収容部１８内に突出した導通爪１９に接触する。それにより、フロッピディスク装置３８は、導電板５８、導通爪１９を介して筐体４側のアースに導通する。
【００４９】
更に、フロッピーディスク駆動装置３８をパック収容部１８に装着した状態において、アウタカバー５２の側板５２ｃは、パック収容部１８の側板２４ｃと隣接対向し、この側板５２ｃに形成された多数の第２の通気孔６６は、側板２４ｃ側に形成された多数の第１の通気孔３７とそれぞれ対向し連通する。従って、フロッピーディスク駆動装置３８に設けられた吸気孔７０、通気路６８、第２の通気孔６６、および筐体４に設けられた第１の通気孔３７を通して、筐体４内部とコンピュータ１外部とが連通し、これらを介して筐体内部へ外気を導入可能となる。このように、吸気孔７０、通気路６８、第１および第２の通気孔３７、６６は、フロッピーディスク駆動装置３８内部を通して筐体４内へ外気を導く通気手段を構成している。
【００５０】
図９および図１０に示すように、ロアハウジング５内にはそれぞれ多数の電子部品を実装した第１および第２のプリント回路基板７２、７４が配設されている。第１のプリント回路基板７２は、底壁５ａと平行に隣接対向して配設されている。第２のプリント回路基板７４は、第１のプリント回路基板７２と所定の間隔を置いて平行に対向配置されている。そして、パック収容部１８を規定している筐体内壁の内、側板２４ｃに形成された第１の通気孔３７は、第１および第２のプリント基板７２、７４間の空間に連通している。
【００５１】
第２のプリント基板７４には、比較的発熱量の多い半導体チップ７６を有するＴＣＰ（テープキャリアパッケージ）７８が実装されている。そして、ＴＣＰ７８の上面側は、中空のカバー８０によって覆われている。また、ＴＣＰ７８の下面側、つまり、第２のプリント回路基板７４の下面側には、半導体チップ７６の熱を逃がすための放熱ユニット８２およびファンユニット８４が配設されている。
【００５２】
放熱ユニット８２は、ＴＣＰ７８に対向して第２のプリント回路基板７４の下面に固定された矩形状の放熱板８６と、放熱板８６の下面側に配設された矩形状の弾性シート８８と、を備えている。放熱板８６は例えばアルミニウムによって形成され、その上面中央部には矩形状の凸部８６ａが形成されている。凸部８６ａの上面は、第２のプリント回路基板７４に形成された図示しない透孔を介して半導体チップ７６の下面に接触している。また、弾性シート８８は、熱伝導性を有する材料、例えば、アルミナを添加したシリコーン樹脂によって形成されている。
【００５３】
ファンユニット８４は、ファン本体９０、このファン本体を支持したファンフレーム９２、およびヒートヒンク９４を備えて構成されている。ファンフレーム９２およびヒートシンク９４は、例えば、アルミニウムによって一体に成形されている。
【００５４】
ヒートシンク９４は、矩形状の放熱板９５と、放熱板の下面に突設された多数の放熱ピン９６と、を有している。放熱板９５は、第２のプリント回路基板７４の下面と平行に配置され、その上面は、放熱ユニット８２を介して第２のプリント回路基板７４下面に接触している。そして、ヒートシンク９４は、放熱ユニット８２およびカバー８０と共に、４本のねじ９８によって第２のプリント回路基板７４に固定され、第１および第２のプリント回路基板７２、７４間の空間内に位置している。
【００５５】
ファン本体９０は、その回転中心軸が第１および第２のプリント回路基板７２、７４と平行に延びた状態でファンフレーム９２に支持され、筐体４の後壁に形成された排気口１５と隣接対向している。そして、ファン本体９０を駆動すると、筐体４内の空気がファン本体９０によって吸引され、排気口１５から筐体４外部に排気される。
【００５６】
以上のように構成されたポータブルコンピュータ１によれば、筐体４のパック収容部１８にパック状機器、例えば、フロッピーディスク駆動装置３８を装着すると、このフロッピーディスク駆動装置３８の底面および前面が筐体４の底面および右側面と面一となり、筐体４の外面を構成する。また、図１０からよく分かるように、フロッピーディスク駆動装置３８をパック収容部１８に装着した状態において、アウタカバー５２の側板５２ｃに形成された第２の通気孔６６が、筐体４側の側板２４ｃに形成された第１の通気孔３７とそれぞれ対向し連通する。これにより、フロッピーディスク駆動装置３８に設けられた吸気孔７０、通気路６８、第２の通気孔６６、および筐体４に設けられた第１の通気孔３７を通して、筐体４内部とコンピュータ１外部とが連通する。
【００５７】
この状態でファンユニット８４のファン本体９０が作動されると、筐体４内部の空気が排気口１５から排気され、これに伴い、フロッピーディスク駆動装置３８の吸気孔７０を通して外気が通気路６８内へ導入される。導入された外気は通気路６８を通って流れ、その際、フロッピーディスク駆動装置３８内部を冷却する。
【００５８】
更に、導入された外気は、第２および第１の通気孔６６、３７を順に通って筐体４内に流入し、第１および第２のプリント回路基板７２、７４間、およびヒートシンク９４の周囲を流れた後、排気口１５から筐体４外部に排気される。この間、外気は、第１および第２のプリント回路基板７２、７４上に実装された電子部品を冷却する。また、第２のプリント回路基板７４に実装された半導体チップ７６の熱は、放熱ユニット８２の放熱板８６および弾性シート８８を介してヒートシンク９４の放熱板９５に伝わり、更に、放熱ピン９６を介して、これら放熱ピンの周囲を流れる外気に放熱される。それにより、半導体チップ７６が放熱、つまり、冷却される。
【００５９】
また、ファン本体９０を作動させることにより、筐体４に形成された吸気孔３３および図示しない他の吸気孔からも、筐体４内に外気が導入され、筐体内に設けられた電子部品の冷却に利用される。
【００６０】
なお、フロッピーディスク駆動装置３８に代えてＣＤ−ＲＯＭ駆動装置３６を装着した場合においても、上記と同様に、ファン本体９０を作動させることにより、吸気口６４を通してＣＤ−ＲＯＭ駆動装置３６内に外気が導入され、更に、通気路６２、第２および第１の通気孔６０、３７を通して筐体４内に導入される。従って、導入した外気により、ＣＤ−ＲＯＭ駆動装置３６内部および筐体４内部が冷却される。
【００６１】
以上のように構成されたポータブルコンピュータによれば、筐体４のパック収容部１８に装着されたパック状機器に吸気口、通気路および通気孔を設けることにより、パック状機器内部に外気を導入してパック状機器内部を冷却することができる。同時に、パック状機器に設けられた吸気孔、通気路および通気孔を介して、筐体４内部に外気を導入することが可能となる。従って、吸気孔を形成するためのスペースを、筐体４自身の外面に追加する必要がなく、筐体４およびコンピュータ１全体の小型化を図ることができる。更に、外気を筐体４内の所望領域に導入することができ、半導体チップ７６のような発熱量の多い電子部品を効率よく冷却することができる。従って、熱による性能低下を防止し、パック状機器およびコンピュータ１自身の能力を充分に発揮することができる。
【００６２】
なお、この発明は上述した実施の形態に限定されることなく、この発明の範囲内で種々変形可能である。例えば、パック状機器は、上述したＣＤ−ＲＯＭ駆動装置、フロッピーディスク駆動装置に限定されることなく、ハードディスク駆動装置、バッテリパック等の他の機器を用いてもよい。
【００６３】
また、パック状機器の吸気孔は、パック収容部に装着された状態において外部に露出する壁面に設けられていればよく、パック状機器の前面に限らず底面等に設けてもよい。同様に、パック状機器の第２の通気孔、および筐体側の第１の通気孔は互いに対向して設けられていればよく、その形成位置は必要に応じて変更可能である。
【００６４】
【発明の効果】
以上詳述したように、この発明によれば、筐体内部および筐体に取り付けられたパック状機器を効率よく冷却可能な携帯形電子機器を提供することができる。
【図面の簡単な説明】
【図１】本発明の実施の形態におけるポータブルコンピュータの斜視図。
【図２】上記ポータブルコンピュータを底側から見た斜視図。
【図３】パック状機器を取り外した状態における、上記ポータブルコンピュータの底面側、およびパック状機器を示す斜視図。
【図４】パック状機器を取り外した状態における、上記ポータブルコンピュータの底面側を示す斜視図。
【図５】ＣＤ−ＲＯＭ駆動装置の上面側を示す斜視図。
【図６】フロッピーディスク駆動装置の上面側を示す斜視図。
【図７】上記ＣＤ−ＲＯＭ駆動装置の下面側を一部破断して示す斜視図。
【図８】上記フロッピーディスク駆動装置の上面側を一部破断して示す斜視図。
【図９】上記ポータブルコンピュータのファン周囲の部分を示す分解斜視図。
【図１０】上記ポータブルコンピュータの断面図。
【符号の説明】
３…ディスプレイユニット
４…筐体
５…ロアハウジング
５ａ…底壁
５ｂ、５ｃ…側壁
１５…排気口
１８…パック収容部
２０…バッテリパック
２４…凹所
２４ａ…底板
２４ｃ、２４ｄ…側板
３６…ＣＤ−ＲＯＭ駆動装置
３７…第１の通気孔
３８…フロッピーディスク駆動装置
４３ｂ、５２ｃ…側板
６０、６６…第２の通気孔
６２、６８…通気路
６４、７０…吸気孔
７２…第１のプリント回路基板
７４…第２のプリント回路基板
７６…半導体チップ
８４…ファンユニット
９０…ファン本体
【図１】
0003805842.tif 000002
【図２】
0003805842.tif 000003
【図３】
0003805842.tif 000004
【図４】
0003805842.tif 000005
【図５】
0003805842.tif 000006
【図６】
0003805842.tif 000007
【図７】
0003805842.tif 000008
【図８】
0003805842.tif 000009
【図９】
0003805842.tif 000010
【図１０】
0003805842.tif 000011